(57)【特許請求の範囲】
【請求項１】
圧縮機と、膨張機と、前記圧縮機と前記膨張機との間に設けられ前記圧縮機の出口部からの空気を前記膨張機の入口部に第１空気として流す第１空気通路部及び外気を第２空気として流す第２空気通路部を有する空気対空気熱交換器とから構成される空気サイクル式冷却装置を有し、前記第２空気を被乾燥室に導き乾燥に利用する高温熱風乾燥装置であって、
前記圧縮機の入口部に接続され前記圧縮機に外気を導く第１入口通路と、
前記膨張機の出口部に接続され前記膨張機の出口部からの空気を排気する第１出口通路と、
前記第２空気通路部の上流端に接続され前記第２空気通路部に外気を導入する第２入口通路と、
前記第２空気通路部の下流端に接続され前記第２空気を前記被乾燥室に導く第２出口通路と、
前記第１入口通路に設けられた混合手段と、
前記第２出口通路に設けられた分流手段と、
前記分流手段と前記混合手段とを接続する分流通路とを備え、
前記分流手段によって前記第２出口通路を流れる空気の一部を、前記分流通路を通じて前記混合手段に供給して前記混合手段において外気と混合し、加温空気として前記圧縮機に供給する構成とされていることを特徴とする高温熱風乾燥装置。
【請求項２】
前記第１入口通路であって前記混合手段の上流側に設けられる入口ダンパーと、
前記第１入口通路であって前記混合手段の下流側に設けられる圧縮機入口温度センサと、
前記圧縮機入口温度センサ及び前記入口ダンパーに連係される第１外気流入量制御手段とをさらに備え、
前記第１外気流入量制御手段は、前記圧縮機入口温度センサによって検知した温度が、設定温度より小さい場合には前記入口ダンパーの開度が小さくなる方向に、前記設定温度より大きい場合には前記入口ダンパーの開度が大きくなる方向にそれぞれ前記入口ダンパーを制御するものである、請求項１記載の高温熱風乾燥装置。
【請求項３】
前記第１入口通路であって前記混合手段の下流側に設けられる圧縮機入口圧力センサをさらに備え、
前記第１外気流入量制御手段は、前記圧縮機入口圧力センサにも連係され、前記圧縮機入口圧力センサによって検知した圧力が、設定圧より大きい場合には前記入口ダンパーの開度が大きくなる方向に、前記設定圧より小さい場合には前記入口ダンパーの開度が小さくなる方向にそれぞれ前記入口ダンパーを制御するものである、請求項２記載の高温熱風乾燥装置。
【請求項４】
前記圧縮機入口温度センサ及び前記分流手段に連係される第２外気流入量制御手段をさらに備え、
前記第２外気流入量制御手段は、前記圧縮機入口温度センサによって検知された温度が前記設定温度より低い場合は前記分流通路を流れる第２空気の流量を増やす方向に、前記設定温度より高い場合は、前記分流通路を流れる第２空気の流量を減らす方向に前記分流手段を制御するものである、請求項３記載の高温熱風乾燥装置。
【請求項５】
前記第２外気流入量制御手段は、前記圧縮機入口圧力センサにも連係され、前記圧縮機入口圧力センサによって検知した圧力が前記設定圧より大きい場合には、前記分流通路を流れる第２空気の流量を増やす方向に前記分流手段を制御するものである、請求項４記載の高温熱風乾燥装置。
【請求項６】
前記空気対空気熱交換器の第１空気通路部と前記膨張機の入口部との間に、第１空気対水熱交換器の空気通路部を配置している、請求項１〜５のいずれか１つに記載の高温熱風乾燥装置。
【請求項７】
前記第２出口通路の、前記分流手段の下流に第２空気対水熱交喚器の空気通路部を配置している、請求項１〜６のいずれか１つに記載の高温熱風乾燥装置。
【請求項８】
前記被乾燥室からの排気ダクトに排気熱回収熱交換器の第１通路部を配置し、前記排気熱回収熱交換器の第２通路部を前記第１入口通路に配置している、請求項１〜６のいずれか１つに記載の高温熱風乾燥装置。
【発明の詳細な説明】
【技術分野】
【０００１】
本発明は、空気サイクル式冷却を用いた高温熱風乾燥装置に関する。特に、熱風を用いて乾燥した直後に冷却する必要がある食品、医薬品、海産物等を乾燥するのに適する。
【背景技術】
【０００２】
食品や医薬品、海産物等を乾燥する際には、熱風を用いて乾燥し変質防止のため直後に冷却するのが望ましいことは知られており、それらを行うためには、乾燥のための熱風発生装置と、冷却のための冷却装置とが必要とされている。
【０００３】
そのような乾燥のための熱風を発生するためには、空気を加熱する必要があり、空気の加熱源としては電気ヒーターやスチームヒーター等が用いられている。
【０００４】
また、前記電気ヒーターやスチームヒーター等を用いずに、代替フロンやＣＯ２を冷媒としたヒートポンプサイクルを構成した熱源を利用して熱風を発生する装置も公知である。
【０００５】
また、空気サイクルによる冷却と排熱を熱源に利用した空気調和装置も提案されている（特許文献１参照）。
【先行技術文献】
【特許文献】
【０００６】
【特許文献１】特開２０００−３０４４４９号公報
【発明の概要】
【発明が解決しようとする課題】
【０００７】
ＣＯ２ヒートポンプサイクルを構成した熱源を利用して熱風を発生する装置では１２０℃以上の高温熱風を得ることはできないし、高温熱風を、従来の電気ヒーターで得る装置では電力消費量が多くなる。そして、特許文献１記載の技術では、前記熱風を用いた乾燥には温度が低く不適である。また、熱風乾燥には、例えば外気温度などに影響されず、高温の空気を安定的に発生させる必要もある。
【０００８】
本発明は、熱風を用いた乾燥に適する高温の空気を安定的に発生させることに加えて、１台の装置で加熱機能と冷却機能を同時に作用させ、少ない電力で運転できる高温乾燥装置を提供することを目的とする。
【課題を解決するための手段】
【０００９】
請求項１の発明は、圧縮機と、膨張機と、前記圧縮機と前記膨張機との間に設けられ前記圧縮機の出口部からの空気を前記膨張機の入口部に第１空気として流す第１空気通路部及び外気を第２空気として流す第２空気通路部を有する空気対空気熱交換器とから構成される空気サイクル式冷却装置を有し、前記第２空気を被乾燥室に導き乾燥に利用する高温熱風乾燥装置であって、前記圧縮機の入口部に接続され前記圧縮機に外気を導く第１入口通路と、前記膨張機の出口部に接続され前記膨張機の出口部からの空気を排気する第１出口通路と、前記第２空気通路部の上流端に接続され前記第２空気通路部に外気を導入する第２入口通路と、前記第２空気通路部の下流端に接続され前記第２空気を前記被乾燥室に導く第２出口通路と、前記第１入口通路に設けられた混合手段と、前記第２出口通路に設けられた分流手段と、前記分流手段と前記混合手段とを接続する分流通路とを備え、前記分流手段によって前記第２出口通路を流れる空気の一部を、前記分流通路を通じて前記混合手段に供給して前記混合手段において外気と混合し、加温空気として前記圧縮機に供給する構成とされていることを特徴とする。
【００１０】
この構成によれば、空気対空気熱交換器の第２空気通路部において吸熱して高温となった第２空気の一部が、混合手段に供給されて外気と混合され、外気より高い温度の加温空気となって圧縮機に供給され、圧縮により昇温されたより高温の空気が前記空気対空気熱交換器の第１空気通路部に送られる。よって、第１空気通路部の第１空気と熱交換された第２空気通路部の第２空気は熱風乾燥に適する高温となり、被乾燥室に送られ、乾燥用として有効に利用される。
【００１１】
このとき、分流手段を制御して、分流通路を通じて混合手段に送られる高温の第２空気の混合量を調節することができるので、外気温度が変化しても、混合手段において一定温度の加温空気とすることが行える。よって、圧縮機から吐出される空気温度も一定となり、乾燥に用いる高温の第２空気の温度を一定温度に制御できるので、熱風を用いた乾燥に適する高温の空気を安定的に発生させることが可能となり、安定した熱風乾燥を実現することができる。
【００１２】
このように空気サイクル式冷却装置を用いることで圧縮機が消費した駆動力を膨張機で回収することができるため、少ない電力で運転することができる。また、同時発生の冷風で乾燥直後の冷却が可能となるので、そのような冷却に利用すれば、さらにシステム効率を向上させることが可能となる。１台の装置で加熱機能と冷却機能を同時に作用させることができるので、少ない電力で運転することができる。
【００１３】
この場合、請求項２に記載のように、前記第１入口通路であって前記混合手段の上流側に設けられる入口ダンパーと、前記第１入口通路であって前記混合手段の下流側に設けられる圧縮機入口温度センサと、前記圧縮機入口温度センサ及び前記入口ダンパーに連係される第１外気流入量制御手段とをさらに備え、前記第１外気流入量制御手段は、前記圧縮機入口温度センサによって検知した温度が、設定温度より小さい場合には前記入口ダンパーの開度が小さくなる方向に、前記設定温度より大きい場合には前記入口ダンパーの開度が大きくなる方向にそれぞれ前記入口ダンパーを制御するものである、構成とすることが望ましい。ここで、「設定温度」は、被乾燥室の要求内容に応じて、予め設定される一定の温度である。
【００１４】
このようにすれば、圧縮機入口温度センサによって検知した圧縮機入口温度に応じて入口ダンパーの開度が制御され、圧縮機入口温度が設定温度に維持される方向に入口ダンパーの開度が制御される。これにより、圧縮機入口温度が設定温度を維持するように、混合手段での、外気の混合割合が制御される。
【００１５】
請求項３に記載のように、前記第１入口通路であって前記混合手段の下流側に設けられる圧縮機入口圧力センサをさらに備え、前記第１外気流入量制御手段は、前記圧縮機入口圧力センサにも連係され、前記圧縮機入口圧力センサによって検知した圧力が、設定圧より大きい場合には前記入口ダンパーの開度が大きくなる方向に、前記設定圧より小さい場合には前記入口ダンパーの開度が小さくなる方向にそれぞれ前記入口ダンパーを制御するものである、ことが望ましい。
【００１６】
このようにすれば、入口ダンパーの開度を制御して、圧縮機にかかる、余分な負荷を抑制することができる。
【００１７】
請求項４に記載のように、前記圧縮機入口温度センサ及び前記分流手段に連係される第２外気流入量制御手段をさらに備え、前記第２外気流入量制御手段は、前記圧縮機入口温度センサによって検知された温度が前記設定温度より低い場合は前記分流通路を流れる第２空気の流量を増やす方向に、前記設定温度より高い場合は、前記分流通路を流れる第２空気の流量を減らす方向に前記分流手段を制御するものである、構成とすることが望ましい。
【００１８】
このようにすれば、圧縮機入口温度に応じて、分流手段を制御することで混合手段での第２空気の混合量が制御され、圧縮機入口温度が設定温度を維持する方向に制御される。
【００１９】
請求項５に記載のように、前記第２外気流入量制御手段は、前記圧縮機入口圧力センサにも連係され、前記圧縮機入口圧力センサによって検知した圧力が前記設定圧より大きい場合には、前記分流通路を流れる第２空気の流量を増やす方向に前記分流手段を制御するものである、構成とすることが望ましい。
【００２０】
このようにすれば、分流手段を制御して、圧縮機にかかる、余分な負荷を抑制することができる。
【００２１】
請求項６に記載のように、前記空気対空気熱交換器の第１空気通路部と前記膨張機の入口部との間に、第１空気対水熱交換器の空気通路部を配置している、構成とすることもできる。
【００２２】
このようにすれば、第１空気対水熱交換器による冷却水を利用して、より低温の空気を得ることができる。
【００２３】
請求項７に記載のように、前記第２出口通路の、前記分流手段の下流に第２空気対水熱交喚器の空気通路部を配置している、構成とすることができる。
【００２４】
このようにすれば、高温の第２空気を用いて第２空気対水熱交喚器による供給水を加熱し、温水として利用することができる。
【００２５】
請求項７に記載のように、前記被乾燥室からの排気ダクトに排気熱回収熱交換器の第１通路部を配置し、前記排気熱回収熱交換器の第２通路部を前記第１入口通路に配置している、構成とすることができる。
【００２６】
このようにすれば、排気熱回収熱交換器を利用して排気熱を第１入口通路から導入する外気に回収できるので、外気の温度を効率よく高めることができる。
【発明の効果】
【００２７】
この発明は、分流手段を制御して、分流通路を通じて混合手段に送る高温の第２空気の混合量を調節し、外気温度が変化しても、混合手段において一定温度の空気とすることができるので、圧縮機から吐出される空気温度も一定に維持することができ、被乾燥室に送り乾燥に用いる高温の第２空気の温度を一定温度に制御することも容易に行え、安定した高温熱風乾燥を実現できる。
【００２８】
また、高温の空気を安定して発生させるとともに、空気サイクル式冷却装置が本来持っている冷風を発生させる機能も利用することで、１台の装置で加熱機能と冷却機能とを同時に作用させるので、少ない電力で運転することが可能となり、省エネを図ることができる。
【図面の簡単な説明】
【００２９】
【図１】本発明の実施形態１である空気サイクル式冷却を利用した高温熱風乾燥装置の概略構成を示す図である。
【図２】前記実施形態１の高温熱風乾燥装置の制御系を示すブロック図である。
【図３】本発明の実施形態２に係る高温熱風乾燥装置の概略構成を示す図である。
【図４】本発明の実施形態３に係る高温熱風乾燥装置の概略構成を示す図である。
【図５】前記高温熱風乾燥装置を利用した応用例を示す図である。
【発明を実施するための形態】
【００３０】
以下、本発明の実施の形態を図面に沿って説明する。
（実施形態１）
図１は、本発明の一実施形態である空気サイクル式冷却を利用した高温乾燥装置の機器配置例を示したものである。
【００３１】
高温乾燥装置は、空気サイクル冷却回路である第１系統Ｓ１と、熱風発生回路である第２系統Ｓ２とを有する。
【００３２】
第１系統Ｓ１は、圧縮機２１と、空気対空気熱交換器３０と、膨張機２２とを順に接続してなり、空気冷却サイクル動作を行う空気冷却サイクル回路を構成している。
【００３３】
この第１系統Ｓ１は、圧縮機２１に空気（外気）を取入れる第１入口通路２３と、膨張機２２から空気を排出する第１出口通路２４とを有し、第１入口通路２３の途中に混合器５０（混合手段）が、第１出口通路２４の途中に除湿器５５がそれぞれ配置されている。
【００３４】
一方、第２系統Ｓ２は、外気を第２空気として空気対空気熱交換器３０へ送風する送風機４５と、熱交換器３０からの高温の第２空気を分流する分流弁２２（分流手段）とを有する。そして、送風機４５が途中に設けられた第２入口通路２３が熱交換器３０の第２空気入口側に、分流弁４４が途中に設けられた第２出口通路２４が熱交換器３０の第２空気出口側にそれぞれ接続されている。
【００３５】
分流弁４４は、熱交換器３０からの高温の第２空気の一部を、分流通路４３を通じて混合器５０に供給する。混合器５０は、外気と高温の第２空気とを混合して、圧縮機２１に供給される空気温度を高める役割をなしている。一方、高温の第２空気の残部を、第２出口通路４２を通じて図示しない被乾燥室（被加熱室）へ導く構成とされている。そして、前記被乾燥室では、高温の空気を利用した熱風乾燥が行われる。
【００３６】
圧縮機２１には、高速モーター２８が連結され、膨張機２２とも連結されている。そして、圧縮機２１は、高速モーター２８の駆動力と、膨張機２２で空気が膨張する際の膨張仕事とによって駆動される。
【００３７】
空気対空気熱交換器３０には、第１空気通路部３１（第１系統Ｓ１の高圧放熱側通路）と第２空気通路部３２（第２系統Ｓ２の低圧吸熱側通路）とが区画形成されている。第１空気通路部３１の一端が圧縮機２１に、他端が膨張機２２にそれぞれ接続され、内部を第１空気が流れる。第２空気通路部３２の一端に、途中に送風機４５を有する第２入口通路４１が、他端に、途中に分流弁４４を有する第２出口通路４２がそれぞれ接続され、内部を第２空気が流れる。そして、この空気対空気熱交換器３０は、第１空気通路部３１の第１空気と第２空気通路部３２の第２空気とを熱交換させ、これによって第２空気を加熱するように構成されている。よって、送風機４５によって第２入口通路４１を通じて外気を取入れ、熱交換器３０の第２空気通路部３２へ送風することにより、高温空気の第２空気を得ることができる。
【００３８】
除湿器５５は、膨張機２２からの低温の第１空気中に含まれる水分などを除去する役割をなし、除湿器５５に接続された第１出口通路２４を通じて低温の第１空気を、例えば被冷却室へ導き、冷却に利用することができる。
【００３９】
第１入口通路２３は、混合器５０の上流側に入口ダンパー２５が設けられ、この第１ダンパー２５の上流側に第１外気温度センサ１が設けられている。また、混合器５０の下流側には、圧縮機入口温度センサ２と圧縮機入口圧力センサ３とが順に設けられている。そして、第１出口通路２４は、除湿器５５の下流側に冷却風温度センサ４が設けられている。
【００４０】
送風機４５の上流側に第２外気温度センサ５が設けられ、第２出口通路４２は、分流弁４４の上流側に高温空気温度センサ６が設けられている。
【００４１】
次に、前記装置の制御系による制御を、図２に沿って詳細に説明する。
【００４２】
高速モーター２８は高速モーター回転数選択手段１０によって駆動制御され、また、送風機４５は送風機回転数選択手段１１によって駆動制御される。高速モーター回転数選択手段１０や送風機回転数選択手段１１は、第１及び第２外気温度センサ１，５によって検知した温度と、被乾燥室及び／又は被冷却室で要求される条件とに応じて、予め設定されている回転数が選択され、その回転数でもって高速モーター２８や送風機４５が回転される。つまり、外気温度や被乾燥室及び／又は被冷却室で要求される条件に応じて、高速モーター２８や送風機４５の回転数がマップ上に予め設定されており、要求とセンサ等の条件に対応した回転数をマップから選択して行うようにしているが、手動で行ってもよい。
【００４３】
圧縮機入口温度センサ２及び入口ダンパー２５は第１外気流入量制御手段１２に連係され、この第１外気流入量制御手段１２によって、圧縮機入口温度センサ２によって検知される圧縮機入口温度に応じて第１ダンパー２５の開度が調整される。つまり、圧縮機入口温度センサ２によって検知した圧縮機入口温度が設定温度（被乾燥室の要求内容に応じて、予め設定される一定の温度）より小さい場合には、入口ダンパー２５の開度が小さくなる方向に入口ダンパー２５が制御され、第１入口通路２３が絞られ、外気流入量が少なくなるようにされる。これにより、混合器５０での、温度が低い外気の混合割合が少なくされ、圧縮機入口温度が高くなるように制御される。一方、前記圧縮機入口温度が前記設定温度より大きい場合には入口ダンパー２５の開度が大きくなる方向に入口ダンパー２５が制御され、第１入口通路２３が広げられ、外気流入量が大きくなるようにされる。これにより、混合器５０での、温度が低い外気の混合割合が多くされ、圧縮機入口温度が低くなるようにに制御される。
【００４４】
圧縮機入口温度センサ３及び分流弁４４には第２外気流入量制御手段１３が連係され、圧縮機入口温度センサ３によって検知された圧縮機入口温度が前記設定温度より低い場合は、分流通路４３を流れる高温第２空気の流量を増やす方向に分流弁４４が制御される一方、前記圧縮機入口温度が前記設定温度より高い場合は、分流通路４３を流れる高温第２空気の流量を減らす方向に分流弁４４が制御される。
【００４５】
このように、第１外気流入量制御手段１２及び第２外気流入量制御手段１３によって、入口ダンパー２５の開度及び分流通路４３を流れる高温第２空気の流量が圧縮機２１の入口温度が前記設定温度に維持されるように制御されるので、圧縮機２１の入口温度が前記設定温度を含む一定温度範囲内に維持され、その結果圧縮機２１の出口温度も一定温度範囲内に維持される。
【００４６】
また、第１外気流入量制御手段１２や第２外気流入量制御手段１３は、圧縮機入口圧力センサ３にも連係され、圧縮機入口圧力センサ３によって検知した圧縮機入口圧力が、設定圧（圧縮機性能によって許容されている設定値）より大きい場合には、入口ダンパー２５の開度が大きくなる方向に入口ダンパ−２５が制御され、また、分流通路４３を流れる第２空気の流量を増やすように分流弁４４が制御される。これにより、第２空気が多く混合器５０に流れ、圧縮機入口圧力が設定圧力に近づく方向に制御され、圧縮機２１の吸い込み抵抗が少なくされる。ここで、圧縮機２１の吸込量は回転数で決まってしまうので、それ以上の第２空気は送風機４５により加圧されているから、開いている入口ダンパー２５より外気側へ逃げていくことになる。  このままでは、前記設定温度より高くなるので、分流弁４４を制御して、分流通路４３を流れる第２空気の流量を減らし、圧縮機入口圧力が設定圧力に近づけることになる。
【００４７】
なお、第１及び第２外気温度センサ１，５は、いずれも外気の温度を検知するものであるが、圧縮機入口温度が上昇し第１入口通路２３において入口ダンパー２５より第２空気が逆流したとき、第１外気温度センサ１による検知温度が、第２外気温度センサ５の検知温度よりも高くなる。それが長く続く場合には、制御不良か圧縮機の停止が原因となっていると考えられるので、高速モーター２８や送風機４５を停止させるなどのシステム保護が図られる。
【００４８】
上記装置によれば、第１系統Ｓ１では、第１入口通路２３から外気が混合器５０に入り、混合器５０に取入れられた第２系統Ｓ２からの高温の第２空気と混合された加温空気を第１空気として、圧縮機２１に供給される。圧縮機２１では混合加温された第１空気が圧縮され、温度及び圧力が上昇して空気対空気熱交換器３０に入って高圧放熱側通路３１を流れ、低圧吸熱側通路３２の第２空気と熱交換して冷却される。冷却された第１空気は膨張機２２で膨張し、第１空気の温度及び圧力が低下する。そして低温となった第１空気は除湿器５５で水分を除去後、第１出口通路２４を通って被冷却室に供給される。また、空気の膨張を利用することにより、膨張機２２にて高速モーター２８の駆動力の回収を行うことができる。
【００４９】
第２系統Ｓ２では、第２入口通路２３から外気が第２空気として取入れられ、送風機４５から熱交換器３０へ供給され低圧吸熱側通路３２を流れ、高圧放熱側通路３１の第１空気と熱交換を行う。この熱交換によって第２空気は温度が上昇し高温となり、分流弁４４によって第２出口通路２４と分流通路４３とに分流される。分流通路４３へ分流された高温の第２空気は混合器５０へ供給され、第１空気の加温のために用いられ、第２出口通路２４へ分流された高温の第２空気は、被乾燥室へ供給され、被乾燥室での乾燥に用いられる。
【００５０】
分流弁４４は、熱交換器３０からの高温の第２空気を、混合器５０への流れと、第２出口通路２４を通じての流れとに分流するので、混合器５０へ導く量と、第２出口通路２４から被乾燥室へ導く流量を、第２外気流入量制御手段１３により調節することができる。これらの量は外気温度が変化しても圧縮機２１の入口温度が一定温度になるように自動制御され、調節される。その結果、圧縮機２１の出口温度は一定温度に維持される。
【００５１】
また、外気を取入れる第１入口通路２３の途中に、第１外気流入量制御手段１２にて開度が制御される入口ダンパー２５を配置しているので、混合器５０への、外気の取入れ量を調節することができる。また、空気対空気熱交換器３０によって加熱された第２空気が、分流通路４３を通じて混合器５０に取り入れられる。そして、２カ所から導入される空気を効率よく混合させる装置を備えた混合器５０内で外気と第２空気の高温空気とを混合して外気温度より高い温度の余熱空気を接続により圧縮機２１に取入れることができる。
【００５２】
このように前記装置によれば、第１系統Ｓ１の低温冷風の供給と同時に第２系統Ｓ２から高温の熱風を利用することにより、１台の装置で加熱機能と冷却機能を同時に作用させることができるので、少ない電力で運転することができる。
（実施形態２）
図３に示すように、図１に示す装置（基本システム）において、空気対空気熱交換器３０の第１空気通路部３１と膨張機２２の入口部との間に、第１空気対水熱交換器３５の空気通路部を配置して、より低温の空気を得ることができる。
【００５３】
図１での空気対空気熱交換器３０では外気の第２空気によって冷却される第１空気の温度が外気温度以下にはならないので、膨張機２２によって低下する温度に限界がある。そこで空気対水熱交換器３１の空気通路部を、空気対空気熱交換器３０の第１空気通路部３１と膨張機２２の入口部との間に配置して膨張機２２に入る第１空気の温度を冷却水３６によって下げる。これにより、膨張機２２の出口温度よりも低くすることができる。また、この冷却水温度（流量）を調節することにより、圧縮機２１の出口温度を一定に保ちながら（すなわち第２系統Ｓ２の熱風温度一定に保ちながら）、膨張機２２からの低温冷風温度を調節することができるので、各種用途（冷房、冷蔵、冷凍等）に利用することが可能である。
（実施形態３）
図４の実施形態３は、図３に示す装置の変形例で、さらに、第２系統Ｓ２の第２出口通路４２の、分流手段４４の下流に第２空気対水熱交喚器６０の空気通路部を配置しているもので、高温の第２空気を用いて供給水６５を加熱し、温水として利用するものである。
【００５４】
尚、供給水６５と第２空気の熱交換量によって、第２出口通路４２からの第２空気に保有する温熱風も利用することも可能である。
（実施形態４）
図５は、図３に示す装置の応用例を示すものである。第１空気の低温冷風と同時発生した第２空気の高温熱風の供給先を横型連続流動層乾燥装置７０（被乾燥室）とし、空気の高温熱風を乾燥用としたものである。横型連続流動層乾燥装置７０からの排気ダクト７１に排気熱回収熱交換器８０の第１通路部を配置し、排気熱回収熱交換器８０の第２通路部を第１入口通路２３に配置している。なお、第１空気の低温冷風の供給先は、横型連続流動層冷却装置７５（被冷却室）とされている。
【００５５】
排気熱回収熱交換器８０を利用して排気熱を第１入口通路２３から導入する外気に回収できるので、外気の温度を効率よく高めることができる。
【００５６】
従来の場合は、乾燥用に高温熱風を発生させる熱風発生装置（ヒーター等）と、冷却用に低温冷風を発生させる冷却装置が必要であるが、本発明の装置では１台の装置で、乾燥用の空気と冷却用の空気とを発生させることができるので、省スペース効果と省エネルギー効果を併せて得ることができる。
【符号の説明】
【００５７】
Ｓ１  第１系統（空気サイクル冷却回路）
Ｓ２  第２系統（熱風発生回路）
１  第１外気温度センサ
２  圧縮機入口温度センサ
３  圧縮機入口圧力センサ
４  冷却風温度センサ
５  第２外気温度センサ
６  第２高温空気温度センサ
１０  高速モーター回転数選択手段
１１  送風機回転数選択手段
１２  第１外気流入量制御手段
１３  第２外気流入量制御手段
２１  圧縮機
２２  膨張機
２３  第１入口通路
２４  第１出口通路
２５  入口ダンパー
２８  高速モーター
３０  空気対空気熱交換器
３１  高圧放熱側通路
３２  低圧吸熱側通路
３５  第１空気対水熱交換器
３６  冷却水
４１  第２入口通路
４２  第２出口通路
４３  分流通路
４４  分流弁（分流手段）
４５  送風機
５０  混合器（混合手段）
５５  除湿器
６０  第２空気対水熱交換器
６５  供給水
７０  横型連続流動層乾燥装置
７１  排気ダクト
７５  横型連続流動層冷却装置
８０  排気熱回収熱交換器
【図１】
0006592818.tif 000002
【図２】
0006592818.tif 000003
【図３】
0006592818.tif 000004
【図４】
0006592818.tif 000005
【図５】
0006592818.tif 000006